(57)【要約】【課題】コネクタどうしの差込みによる組立作業をスムーズに行えるようにする。【解決手段】コネクタ１３、１５どうしの差込みによる組立てを行う際に、少なくとも一方のコネクタ１５がコネクタ嵌合方向とほぼ直交する方向Ｂへ自由に回動しながら他方のコネクタ１３に倣うように嵌合するボード・ツー・ボードコネクタ装置。【選択図】図１
2007220560.tif 000002
【特許請求の範囲】
【請求項１】
２枚のプリント基板の対向面にそれぞれマウントされた２個のコネクタを相互に嵌合させることにより、これら２枚のプリント基板を電気的に接続するボード・ツー・ボードコネクタ装置において、
前記２個のコネクタのうちの少なくとも一方のコネクタを、コネクタ嵌合方向とほぼ直交する方向へ回動自在に支持させた
ことを特徴とするボード・ツー・ボードコネクタ装置。
【請求項２】
前記一方のコネクタは、該コネクタがマウントされている一方のプリント基板によって、該プリント基板の固定部に対して、コネクタ嵌合方向とほぼ直交する方向へ回動自在に支持されている
ことを特徴とする請求項１に記載のボード・ツー・ボードコネクタ装置。
【請求項３】
前記一方のプリント基板は前記一方のコネクタの長さ方向に延びるコネクタ中心の延長線上に配置された回動支点を中心に前記固定部に対して回動自在に構成されている
ことを特徴とする請求項２に記載のボード・ツー・ボードコネクタ装置。
【請求項４】
前記一方のプリント基板は前記固定部に弾性押圧手段によって弾性的に押圧され、
該一方のプリント基板は前記固定部に対して前記回動支点を中心に、前記弾性押圧手段に抗して回動されるように構成されている
ことを特徴とする請求項２に記載のボード・ツー・ボードコネクタ装置。
【請求項５】
前記一方のプリント基板の回転支点の先端に嵌合されるスルーホールが前記他方のプリント基板に形成されている
ことを特徴とする請求項３に記載のボード・ツー・ボードコネクタ装置。
【請求項６】
請求項１又は請求項２又は請求項３又は請求項４又は請求項５のボード・ツー・ボードコネクタ装置が内蔵された
ことを特徴とする電子機器。
【発明の詳細な説明】
【技術分野】
【０００１】
本発明は、２枚のプリント基板をコネクタどうしの嵌合によって電気的に接続するボード・ツー・ボードコネクタ装置と、そのボード・ツー・ボードコネクタ装置が内蔵された電子機器に関するものである。
【背景技術】
【０００２】
従来、この種ボード・ツー・ボードコネクタ装置において、２枚のプリント基板を２個のコネクタによって相互に嵌合する際に発生するコネクタへのこじり荷重を、コネクタ内の端子部分で吸収させる構造を備えた発明が公開されている。
【０００３】
しかし、コネクタ内の端子部分でこじり荷重を吸収させる構造では、プリント基板を電子機器内部に組立てる際のコネクタ相互の大きな位置ずれに対する逃げに対向することができない。
従って、プリント基板を電子機器内部に組立てる際、例えば大型のプリント基板の下面にマウントされていて、上方からは直視することが困難な下向きのコネクタを電子機器内部に固定されている上向きのコネクタに上方からスムーズに嵌合することが困難である。  
【０００４】
即ち、この際には、大型プリント基板の下部に隠れている下側で上向きのコネクタの位置を手探り等によって確認しながら、大型プリント基板の下面で下向きのコネクタを上方から慎重に嵌合しなければならない。
従って、プリント基板の組立作業性が非常に悪い上に、上下のコネクタどうしが正確に位置決めされないまま、強いコネクタ嵌合力を加えるようなことがあれば、これらのコネクタやプリント基板が破損される危険もある。
【特許文献１】特開２００２−３６７６９４
【発明の開示】
【発明が解決しようとする課題】
【０００５】
解決しようとする問題点は、コネクタどうしの嵌合による組立作業をスムーズに行えるようにする点である。
【課題を解決するための手段】
【０００６】
本発明は、２枚のプリント基板の対向面にそれぞれマウントされた２個のコネクタを相互に嵌合させることにより、これら２枚のプリント基板を電気的に接続するボード・ツー・ボード・コネクタ装置において、前記２個のコネクタのうちの少なくとも一方のコネクタを、コネクタ嵌合方向とほぼ直交する方向へ回動自在に支持させたことを最も主要な特徴とする。
【発明の効果】
【０００７】
本発明のボード・ツー・ボードコネクタ装置は、コネクタどうしの嵌合による組立てを行う際に、少なくとも一方のコネクタがコネクタ嵌合方向とほぼ直交する方向へ自由に回動しながら他方のコネクタに倣うように嵌合されるので、コネクタどうしの差込みによる組立作業をスムーズに行える。
【発明を実施するための最良の形態】
【０００８】
図１〜図６によって、本発明のボード・ツー・ボードコネクタ装置の最良の形態を説明する。
図６は、本発明の電子機器の一例であり、ビデオ編集機（業務用ＶＴＲ）としての記録及び／又は再生装置１をトップカバーを取り外して示すと共に、大小２つのカセット（磁気テープカセットの略）ＬＣとＳＣを示した前方、上方からの斜視図である。
【０００９】
記録及び／又は再生装置１のフロントパネル１ａの上部中央位置には、大小２つのカセットＬＣ、ＳＣを矢印ａ、ｂ方向から選択的に挿入、排出するためのカセット挿入口２が水平状に形成されている。フロントパネル１ａのカセット挿入口２の下部中央位置に液晶パネル等のディスプレー３が方形状に設置されている。フロントパネル１ａのディスプレー３の両側には複数の操作部４や各種インジェーター等が配置されている。
フロントパネル１ａのカセット挿入口２の内側には開閉扉５が取り付けられている。この開閉扉５は上端の左右２箇所に一対で、水平（同心状）の支点ピンを介して内開き方式で矢印ｃ、ｄ方向に開閉されるいわゆる暖簾構造（暖簾方式）の扉に構成されている。
【００１０】
記録及び／又は再生装置１の内部で、フロントパネル１ａに最も接近した位置にカセット及び磁気テープローディング機構６が収納されている。カセット及び磁気テープローディング機構６は、大小２つのカセットＬＣ、ＳＣを選択的にローディングするカセットローディング機構部と、ローディングされたカセットＬＣ、ＳＣ内から磁気テープを引き出して回転ヘッドドラムにローディングし、これらのカセットＬＣ、ＳＣにデータを選択的に記録及び／又は再生する磁気テープローディング機構部とを備えている。
【００１１】
図５は、記録及び／又は再生装置１をボトムカバーを取り外した状態の後方、上方からの斜視図である。この記録及び／又は再生装置１のリアパネル７には多数のコネクタ８等が設置されている。
記録及び／又は再生装置１の底部１ｂの内部に配置された本発明で言う固定部である板金製等のメカシャーシ１０の底部には多数のプリント基板（プリント配線基板の略）が矢印Ｃで示す下方から上下複数段で、平行状（水平状）に取り付けられている。
【００１２】
以下に、図１〜図４によって、ボード・ツー・ボードコネクタ装置１１の詳細を説明する。
このボード・ツー・ボードコネクタ装置１１は、ほぼ短冊形状等の小型の第１プリント基板１２と、その第１プリント基板１２の長手方向に沿ってマウントされた第１コネクタ１３と、方形状等で大型の第２プリント基板１４と、その第２プリント基板１４にマウントされた第２コネクタ１５によって構成されている。
【００１３】
そして、第１プリント基板１２は第１コネクタ１３を上向きにしてメカシャーシ１０の下側に設けられた第１基板取付部１０ａに後述するように取り付けられている。
一方、第２プリント基板１２は第２コネクタ１５を下向きにしてメカシャーシ１１の下方へ立ち下げられた複数の突部である第２基板取付部１０ｂに複数のビス１７によってビス止めされている。
その際、第１コネクタ１３の自動芯合せ機能によって、第２コネクタ１５が第１コネクタ１３にスムーズに係合（差し込まれる）されるように構成されている。
【００１４】
以下に、図１〜図４に基づいて、第１コネクタ１３を上方へ向け、第２コネクタ１５を下方へ向けて、第２コネクタ１５を第１コネクタ１３に上方から下方へ向けて差し込む組立作業に付き説明する。
【００１５】
第１プリント基板１２における第１コネクタ１３の両側位置で、第１コネクタ１３の中心の延長線Ｐ１上の２箇所には円形穴２１と、その円形穴２１を中心とする円弧状の円弧状穴２２が形成されている。
第１プリント基板１２はメカシャーシ１０の第１基板取付部１０ａの２箇所に形成された回転支点２３と回転ガイド２４に嵌合されている。
【００１６】
第１プリント基板１２の長さ方向の両端１２ａ、１２ｂ又は両端近傍位置に、この第１プリント基板１２を所定の押圧力によってメカシャーシ１０の第１基板取付部１０ａに弾性的に圧着する一対の圧着手段２５が取り付けられている。
これら一対の圧着手段２５は、それぞれメカシャーシ１０の基板取付面１０ａにビス２６によって固定された板バネ２７を備えている。これら一対の板バネ２７の基部にはメカシャーシ１０に対する回り止め部２７ａを備え、先端２７ｂによって第１プリント基板１２の金属製等の被圧着部２８に強く圧着されている。
なお、これら一対の圧着手段２５も回転支点２３及び回転ガイド２４と同様に、第１コネクタ１３の中心の延長線Ｐ１上に配置されている。
【００１７】
以上のように構成されたボード・ツー・ボードコネクタ装置１１によれば、第１プリント基板１２が回転支点２３を中心としてコネクタ嵌合方向Ａとほぼ直交する方向Ｂへ一対の圧着手段２５に抗して回動（揺動）することができる自動芯合せ機構を有している。
【００１８】
そこで、大型の第２プリント基板１４で第１プリント基板１２を覆うようにして、第２プリント基板１４を第１プリント基板１２と平行にメカシャーシ１０の複数の第２基板取付部１０ｂ上に、位置合せしながら水平に載置する。
この際、図３に矢印Ｄ及び１点鎖線で示すように、第２コネクタ１５の両端部１５ａ、１５ｂのうち、第１コネクタ１３の回転支点２３に近接している側の端部１３ａと対向する一端１５ａ側をやや先行させて第２コネクタ１３の一端１３ａ側に差し込むようにして、第２コネクタ１５を第１コネクタ１４に矢印Ａ方向から差し込んで行く。
【００１９】
すると、第１プリント基板１２の回動支点２３を中心とする矢印Ｂ方向の自動芯合せ機能によって、第１コネクタ１３が第２コネクタ１５に追従して矢印ｂ方向へ回動しながらこれら第１、第２コネクタ１３、１５がスムーズに嵌合（相互に差し込まれる）されることになる。
なお、この後、第２プリント基板１５をメカシャーシ１０の複数の第２基板取付部１０ｂ上に複数のビス１７によって水平状に固着して作業を終了する。
すると、第１、第２コネクタ１３、１５が所定の係合深さまで完全に嵌合され、一対の圧着手段２５の圧着力と相俟って、第１プリント基板１２及び第２コネクタ１５はメカシャーシ１０に対して不動状態となる。
【００２０】
以上述べたように、本発明の実施例１によれば、第１コネクタ１３に対して第２コネクタ１５を嵌合する際に、第２コネクタ１５の自動芯合せ機構によって、これら第１、第２コネクタ１３、１５を相互に、容易に、かつ、スムーズに嵌合することができる。
従って、第２プリント基板１５で第１コネクタ１３が覆い隠されてしまうような構造下でも、第１コネクタ１３の位置を手探り等にていちいち確認（位置を探し当てること）しなくても、第１、第２コネクタ１３、１５を相互にスムーズに嵌合して、迅速に組立てることができる効果がある。
【００２１】
なお、この際、図４に示すように、第１コネクタ１３及び／又は第２コネクタ１５の外周壁１３ｃ、１５ｃの相互嵌合面にテーパー面１３ｄ、１５ｄを形成しておくことにより、第１、第２コネクタ１３、１５をより一層スムーズに嵌合することができる効果がある。
【００２２】
また、図７は、回動支点２３の先端２３ａを上方（メカシャーシ１０側の反対方向を言う）へ延長させて、第２プリント基板１５の一端１５ａの近傍位置で、第２コネクタ１５の中心の延長線Ｐ１上に形成したスルーホール３１をこの回転支点２３の先端２３ａに嵌合させつつ、第１、第２コネクタ１３、１５を相互に嵌合させるように構成したものである。
これにより、第１、第２コネクタ１３、１５の嵌合時に、これらのコネクタ１３、１５の回動支点２３に近い一端１３ａ、１５ａ側から、確実、かつ、スムーズに差し込むことができる効果がある。
【産業上の利用可能性】
【００２３】
以上、本発明を実施するための最良の形態に付き述べたが、本発明はこの最良の形態に限定されることなく、本発明の技術的思想に基づいて各種の変更が可能である。
【図面の簡単な説明】
【００２４】
【図１】本発明の記録及び／又は再生装置におけるボード・ツー・ボードコネクタ装    置の分解視図である。
【図２】同上のボード・ツー・ボードコネクタ装置の平面図である。
【図３】同上のボード・ツー・ボードコネクタ装置のコネクタ嵌合操作を説明する図    ２のィーィ矢視での断面図である。
【図４】同上のボード・ツー・ボードコネクタ装置のコネクタ嵌合操作を説明する図    ２のローロ矢視での断面図である。
【図５】同上の記録及び／又は再生装置におけるボード・ツー・ボードコネクタ装置    の配置を示した斜視図である。
【図６】同上の記録及び／又は再生装置全体を示した斜視図である。
【図７】同上の記録及び／又は再生装置の変形例説明する図３と同様の断面図である。
【符号の説明】
【００２５】
１  記録及び／又は再生装置、    ２  カセット挿入口、    １０  メカシャーシ、        １１  ボード・ツー・ボードコネクタ装置、    １２  第１プリント基板、        １３  第１コネクタ、    １４  第２プリント基板、    １５  第２コネクタ、        ２１  円形穴、    ２２  円弧状穴、    ２３  回転支点、    ２４回転ガイド、        ２５  圧着手段
【図１】
2007220560.tif 000003
【図２】
2007220560.tif 000004
【図３】
2007220560.tif 000005
【図４】
2007220560.tif 000006
【図５】
2007220560.tif 000007
【図６】
2007220560.tif 000008
【図７】
2007220560.tif 000009